(57)【要約】【課題】  迅速かつ正確で、高い信頼性をもった後払い精算が可能で、長寿命かつ経済性に優れた携帯端末装置を提供する。【解決手段】  携帯可能な端末本体Ａと、この端末本体に形成されたデータキャリア収納部６と、このデータキャリア収納部に内蔵されたデータキャリアＣとを具備し、上記データキャリアは、後払い精算を可能とするための利用データが記憶される集積回路チップからなり、対向するスキャナにより非接触で書込み可能に構成されている。【選択図】  図１
2006236306.tif 000002
【特許請求の範囲】
【請求項１】
携帯可能な端末本体と、この端末本体に形成されたデータキャリア収納部と、このデータキャリア収納部に内蔵されたデータキャリアとを具備し、上記データキャリアは、後払い精算を可能とするための利用データが記憶される集積回路チップを備え、対向するスキャナにより非接触で書き込みおよび読み出し可能に構成されていることを特徴とする携帯端末装置。
【請求項２】
所定個所の開閉用キーとしても利用可能な携帯端末装置であって、端末本体と、この端末本体に形成されたデータキャリア収納部と、このデータキャリア収納部に内蔵されたデータキャリアとを具備し、上記データキャリアは、キー番号と、後払い精算を可能とするための利用データが記憶される集積回路チップを備え、対向するスキャナにより非接触で書き込みおよび読み出し可能に構成されていることを特徴とする携帯端末装置。
【請求項３】
上記データキャリア収納部の頂壁部にデータキャリアの透視窓を形成したことを特徴とする請求項１または２に記載の携帯端末装置。
【請求項４】
上記データキャリアは、データキャリア収納部の頂壁部に形成された透視窓からその主面を凹所底面とする段差をもって露出され、上記主面から所定間隔を存してスキャナで磁気データを書込み可能に構成されていることを特徴とする請求項３に記載の携帯端末装置。
【請求項５】
上記データキャリア収納部の底面に磁気シールド壁部を形成したことを特徴とする請求項３または４に記載の携帯端末装置。
【請求項６】
上記端末本体は、一端部に装着された係止具に他端部が着脱可能に係止される可撓性のリストベルトと、上記データキャリア収納部の下方に形成されたキー収納部とを具備し、このキー収納部にキーを旋回可能に収納したことを特徴とする請求項２ないし４のいずれかに記載の携帯端末装置。
【発明の詳細な説明】
【技術分野】
【０００１】  この発明は、各種データを書込み可能なデータキャリアを内蔵した携帯端末装置に関するものである。
【背景技術】
【０００２】  従来、この種の携帯端末装置として、店員が顧客番号を視認し、顧客の注文に応じた端末処理でキャシュレスにもとづく後払い精算を行なうように構成した視認方式のものが知られている。
また、他の例として、顧客番号と、この顧客番号に対応するバーコードとが併記され、上記バーコードを店員が携帯型リ−ダで読取り、これを管理コンピュータに入力して、ほぼ同様のキャシュレスにもとづく後払い精算を行なうように構成したバーコード方式のものが知られている。
さらに、他の例として、顧客番号と、この顧客番号に対応する磁気テープとが貼着され、上記磁気テープの記録データを店員が携帯型リ−ダで読取り、これを管理コンピュータに入力して、ほぼ同様のキャシュレスにもとづく後払い精算を行なうように構成した磁気テープ方式のものが知られている。
【発明が解決しようとする課題】
【０００３】  ところが、上記視認方式によれば、顧客番号の視認ミスや視認後の端末入力ミスが発生し易く、かつ、顧客の混雑時に処理が遅れ、また、上記バーコード方式によれば、バーコードの汚れや水滴などにより、上記リ−ダによる読取りミスが発生し易く、これを防止するために、上記バーコード部の貼りなおしや、上記リ−ダの清掃などのメンテナンスに労力を要する。
さらに、磁気テープ方式によれば、テープリ−ダなどの磁気ヘッドによる接触状態で書込みおよび読出しがなされるから、磁気テープが剥離したり損傷し易く、誤動作を招来したり、短寿命であるなどの課題があります。
【０００４】  この発明は上記課題を解決するためになされたもので、迅速かつ正確で、高い信頼性をもった後払い精算が可能であり、かつ、長寿命かつ経済性に優れた携帯端末装置を提供することを目的としている。
【課題を解決するための手段】
【０００５】  請求項１による携帯端末装置は、携帯可能な端末本体と、この端末本体に形成されたデータキャリア収納部と、このデータキャリア収納部に内蔵されたデータキャリアとを具備し、上記データキャリアは、後払い精算を可能とするための利用データが記憶される集積回路チップを備え、対向するスキャナにより非接触で書き込みおよび読み出し可能に構成されていることを特徴とする。
上記構成によれば、キャシュレスで顧客の注文に応じる場合、上記データキャリアに書込まれた顧客番号を店側のスキャナで読取ったのち、顧客の注文を同スキャナを介して上記データキャリアに書込むとともに、これを管理コンピュータに入力し、上記データキャリアに記憶された顧客番号や利用データなどを読取り、かつ、管理コンピュータより利用データをネットワークを通して呼出し、キャシュレスにもとづく後払い精算を行ない、これによって顧客番号の処理ミスや端末入力ミスがなく、顧客の混雑の有無にかかわらず、全ての後払い精算を迅速かつ正確に、高い信頼性をもって達成することができる。
【０００６】  請求項２による携帯端末装置は、所定個所の開閉用キーとしても利用可能な携帯端末装置であって、端末本体と、この端末本体に形成されたデータキャリア収納部と、このデータキャリア収納部に内蔵されたデータキャリアとを具備し、上記データキャリアは、キー番号と、後払い精算を可能とするための利用データが記憶される集積回路チップを備え、対向するスキャナにより非接触で書き込みおよび読み出し可能に構成されていることを特徴とする。
上記構成によれば、顧客が貴重品を金庫やロッカなどのキー付きボックス内に保管し、キャシュレスにもとづく後払い精算を安心かつ簡便に行なうことができる。
請求項３による携帯端末装置は、請求項１または２に記載の携帯端末装置において、上記データキャリア収納部の頂壁部にデータキャリアの透視窓を形成したことを特徴とする。
上記構成によれば、データキャリアの透視窓を形成することにより、スキャナによる読取り精度を向上させることができる。
【０００７】  請求項４による携帯端末装置は、請求項３に記載の携帯端末装置において、上記データキャリアがデータキャリア収納部の頂壁部に形成された透視窓からその主面を凹所底面とする段差をもって露出され、上記主面から所定間隔を存してスキャナで磁気データを書込み可能に構成されていることを特徴とする。
上記構成によれば、スキャナによってデータキャリアの主面から所定間隔を存してデータの書込みおよび読取りを非接触でなされるから、上記データキャリア主面の損傷をなくすことができるとともに、上記主面に汚れや水滴などが付着しても、書込み読取りミスの発生がなく、長寿命である。
【０００８】  請求項５による携帯端末装置は、請求項３または４に記載の携帯端末装置において、上記データキャリア収納部の底面に磁気シールド壁部を形成したことを特徴とする。
上記構成によれば、データキャリアを磁気シールドすることにより、スキャナの書込み磁気データが乱されるのを防止して、後払い精算時のデータ読取り精度を向上させることができる。
請求項６による携帯端末装置は、請求項２ないし４のいずれかに記載の携帯端末装置において、上記端末本体が、一端部に装着された係止具に他端部を着脱可能に係止させる可撓性のリストベルトと、上記データキャリア収納部の下方に形成されたキー収納部とを具備し、このキー収納部にキーを旋回可能に収納したことを特徴とする。
上記構成によれば、リストベルトが顧客の腕に着脱可能に装着されて、レジャプールやサウナおよびフィットネスクラブなどの施設内において、キャシュレスにもとづく後払い精算を行なうことができる。
【発明の効果】
【０００９】  この発明は、迅速かつ正確で、高い信頼性をもった後払い精算が可能であり、かつ、長寿命かつ経済性に優れた携帯端末装置を提供することができる。
【実施例】
【００１０】  以下、この発明による携帯端末装置の一例をキー付リストベルトについて説明する。
図１はキー付リストベルトの一例を示す分解斜視図である。
同図において、Ａはリストベルト、Ｂはロッカーキー、Ｃはデータキャリア、Ｄは固定部材、Ｅは上記データキャリアＣの表面に貼着されたラベルである。【００１１】  上記リストベルトＡは、たとえば柔軟な合成樹脂や合成ゴムなどの非磁性体からなるベルト１と、このベルト１の一端部に装着された取付具２と、上記ベルト１の他端部に形成されて上記取付具２に係止される複数の取付孔３と、中央部に一体に形成されたホルダ部４とを備え、このホルダ部４は後述するように、上記ロッカーキーＢの収納部５と、データキャリアＣの収納部６とから構成され、上記データキャリアＣの収納部６の上面には視認窓７が形成されている。
上記ロッカーキーＢは、たとえば綱製のキー本体８の基端部に取付孔８ａが形成され、上記固定部材Ｄの固定ピン９が上記取付孔８ａに挿通されるように形成されている。【００１２】  上記データキャリアＣは、たとえば硬質の合成樹脂製キャリア本体１０の内部に磁気センサや電子回路（図示せず）などが組み込まれた集積回路チップからなり、主面１０ａに対向配設された携帯型スキャナ（図示せず）によって、キー番号や利用データなどの所定の磁気データが書込みおよび読出し可能に構成されている。
上記固定部材Ｄは、たとえば溶着可能な合成樹脂から形成されてホルダ部４の取付孔１１に挿通される頭部付固定ピン９と、中央部に貫通孔１２ａを有するハトメ状の合成樹脂製リング１２とを備えている。【００１３】  図２はホルダ部４を図１のＩＩ−ＩＩ線に沿って切断した断面図である。
上記ホルダ部４におけるキー収納部５は、底壁部４ａと中壁部４ｂとの間にロッカーキーＢの偏平な収納室５ａを有するとともに、両端部に開口部５ｂ，５ｃを有し、その前端開口部５ｂに対応する上記底壁部４ａには、図３で明瞭に示すように取付孔１１ａが形成され、中央部に指差込穴１４が形成されている。
また、上記ホルダ部４におけるデータキャリア収納部６は、頂壁部４ｃと上記中壁部４ｂとの間にデータキャリアＣの偏平な収納室６ａを有するとともに、前端部に開口部６ｂを有し、この前端開口部６ｂに対応する上記頂壁部４ｃおよび中壁部４ｂには、前述した取付孔１１と、図４で明瞭に示す切欠孔１１ｂとがそれぞれ形成されている。【００１４】  上記ロッカーキーＢおよびデータキャリアＣは、各収納室５ａ，６ａに収納されたのち、固定部材Ｄにおける固定ピン９をリング１２の貫通孔１２ａ、ホルダ部４の各孔１１，１１ｂ，１１ａに挿通し、上記ピン９の先端部を加熱溶融することにより、図５ないし図８で示すように上記各収納部５，６の一端開口部を封止して、上記データキャリアＣがデータキャリア収納部６の内部に位置決め保持されるとともに、上記キーＢが上記固定部材Ｄに旋回可能に枢支されて組立てられる。【００１５】  いま、上記ロッカーキーＢが、図８の仮想線で示すようなキー収納部５の内部に収納された状態において、キャシュレスで顧客の注文に応じる場合、まず、ス携帯型キャナ（図示せず）で読取ったのち、顧客の注文を同スキャナを介して上記データキャリアに書込み、かつ、これを管理コンピュータに入力する。
以上の動作を繰り返し、顧客がチェックアウト時に上記データキャリアＣに記憶されたキー番号や利用データなどを磁気データとして読取り、かつ、管理コンピュータより利用データをネットワークを通して呼出し、キャシュレスにもとづく後払い精算を行ない、これによって、キー番号の処理ミスや端末入力ミスがなく、かつ、顧客の混雑の有無にかかわらず、全ての後払い精算を迅速かつ正確に、高い信頼性をもって達成することができる。【００１６】  また、上記データキャリアＣの表面に汚れや水滴などが付着しても、上記スキャナなどによって、データの書込みおよび読取りが磁気結合的になされるから、書込み読取りミスの発生がなく、しかも、上記スキャナのメンテナンスが容易である。
さらに、顧客がリストベルトを紛失した場合でも、スペアのロッカーキーＢ、帯状ベルト１および固定部材Ｄを準備しておけば、上記データキャリアＣのデータを上記ロッカーキーＢに合わせて書込むことにより、店側において迅速かつ容易に同様のリストベルトを製作することができるため、キーとそのキー番号を備えた同一のリストベルトのスペアを複数個用意しなくてもよく、きわめて経済的である。【００１７】  上記実施例において、データキャリア収納部６の頂壁部４ｃにデータキャリアＣの透視窓７を形成した場合、上記スキャナによる読取り精度が向上するとともに、上記データキャリアＣの主面１０ａに貼着されたラベルＥを視認することができて、視認およびデザイン効果を高めることができる。【００１８】  また、上記実施例において、上記キー収納部５に両端開口部５ｂ，５ｃを形成するとともに、上記キー収納部５の底壁部４ａに指差込穴１４を形成したから、この指差込穴１４およびキー収納部５の他端開口部５ｃに両手の指先をそれぞれ挿入すれば、たとえば、上記キーＢを図８の仮想線から実線で示すように旋回させて容易に取り出すことができる。
しかも、上記指差込穴１４を所定の開口面積にすることによって、キー収納部５の底壁部４ａによる断熱効果で、上記キーＢが腕の肌に直接接触することなく、たとえばサウナなどで上記キーＢが加熱された場合であっても、火傷を負うのを有効に防止することができる。【００１９】  さらに、上記実施例において、上記キー収納部５とデータキャリア収納部６との間に中壁部４ｂを形成し、この中壁部４ｂでもって上記キーＢとデータキャリアＣとを磁気シールドした場合、磁性体からなる上記キーＢによって、上記スキャナの書込み磁気データが乱されるのを防止するとともに、後払いの精算時のデータ読取り精度を向上させることができる。
なお、上記実施例において、上記キーＢ、キー収納部５、透視窓７およびラベルＥは必要に応じて省略してもよい。
【図面の簡単な説明】
【００２０】
【図１】  この発明による携帯端末装置の一例をキー付リストベルトの一例を示す分解斜視図である。
【図２】  図１のＩＩ−ＩＩ線に沿う断面図である。
【図３】  図２のＩＩＩ−ＩＩＩ線に沿う断面図である。
【図４】  図２のＩＶ−ＩＶ線に沿う断面図である。
【図５】  この発明によるキー付リストベルトの要部の底面図である。
【図６】  図５のＶＩ−ＶＩ線に沿う断面図である。
【図７】  図５のＶＩＩ−ＶＩＩ線に沿う断面図である。
【図８】  同リストベルトの一例を示す平面図である。
【符号の説明】
【００２１】  Ａ  端末本体（リストベルト）
Ｂ  キー
Ｃ  データキャリア（集積回路チップ）
１  帯状ベルト
２  係止具
４ａ  底壁部
４ｂ  中壁部
４ｃ  頂壁部
５  キー収納部
６  データキャリア収納部
７  透視窓
【図１】
2006236306.tif 000003
【図２】
2006236306.tif 000004
【図３】
2006236306.tif 000005
【図４】
2006236306.tif 000006
【図５】
2006236306.tif 000007
【図６】
2006236306.tif 000008
【図７】
2006236306.tif 000009
【図８】
2006236306.tif 000010